(57)【特許請求の範囲】
【請求項１】
内側に水通路を設けた大引１の上に、内側に水通路を設けた根太２を、各水通路を連通させて、かつ、大引１に対して根太２を略直角に交差させて複数横方向に並列して設け、隣接する前記根太２間上に床パネル５を、床上と根太２の水通路が連通するよう横方向に隣接する各床パネル５間に間隙部７を設けて載置し、さらに、縦方向に隣接する床パネル５間の隣接部９の下方に、補助樋３を配置し、隣接部９から下方に落下した水を、補助樋３で受けるように形成し、
前記補助樋３は、前記根太２上に載置されて補助樋３と根太２の水通路を連通させ、補助樋３の両端部に拡開した顎部３ａを前記根太２に形成された段部２ｂ上に係止した建築物の床構造。
【請求項２】
前記床パネル５の縦方向の両方の端部５ａは、下方を内側寄りに傾斜させて設けた請求項１に記載の建築物の床構造。
【発明の詳細な説明】
【０００１】
【発明の属する技術分野】
本発明は、水を使用して床上の清掃を行なう建築物の床構造に関する。
【０００２】
【従来の技術】
本発明者は先に、大引と根太を排水通路とすることで、床上の洗浄水等を効率良く外部に排水する建築物の床構造を発明した。すなわち、複数並列する大引上に直交するよう複数の根太を載置し、隣接する根太間上に矩形状の床パネルをそれぞれ配置し、大引内及び根太内を排水通路とし、大引と根太の直交する箇所は両者を連通したものである。そして、隣接する床パネル間に形成した間隙から滴下する水は、根太で受けて、根太内の水は、大引に流下し、外部に排水する。
【０００３】
そして、横方向に隣接する床パネルの間は、床パネルの間の間隙から根太に水が流下するが、縦方向に隣接する床パネルの間の隣接部には、例えばパッキンを設けて、水が下部に漏水するのを防止している。
【０００４】
【発明が解決しようとする課題】
本発明者は、先に発明した建築物の床構造にて、さらなる改良すべき点を見いだした。すなわち、縦方向に隣接する床パネル間付近の構造に関してである。
【０００５】
先に発明した建築物の床構造では、前述したように、縦方向に隣接する床パネル間にパッキンを設けて防水している。ところが、例えば床パネルの端部に予めパッキンを取り付けた場合、床パネルの製造が面倒になると共に、既定形状のパッキンで確実に漏水を防止するには、隣接する床パネル同士の位置決めを細かく設定する必要がある。
【０００６】
本発明は、前記事項に鑑みなされたものであり、排水経路外への漏水を確実に防止する建築物の床構造とすることを課題とする。
また、排水経路外への漏水を確実に防止する建築物の床構造を、施工効率を良好なものとして提供することを課題とする。
【０００７】
【課題を解決するための手段】
第１の発明は、内側に水通路を設けた大引１の上に、内側に水通路を設けた根太２を、各水通路を連通させて、かつ、大引１に対して根太２を略直角に交差させて複数横方向に並列して設け、隣接する前記根太２間上に床パネル５を、床上と根太２の水通路が連通するよう横方向に隣接する各床パネル５間に間隙部７を設けて載置し、さらに、縦方向に隣接する床パネル５間の隣接部９の下方に、補助樋３を配置し、隣接部９から下方に落下した水を、補助樋３で受けるように形成し、前記補助樋３は、前記根太２上に載置されて補助樋３と根太２の水通路を連通させ、補助樋３の両端部に拡開した顎部３ａを前記根太２に形成された段部２ｂ上に係止した建築物の床構造とした。
【０００８】
第２の発明は、第１の発明において、前記床パネル５の縦方向の両方の端部５ａは、下方を内側寄りに傾斜させて設けて建築物の床構造とした。
【０００９】
【発明の実施の形態】
以下図に基づいて本発明の実施の形態の説明をする。図１〜図７は本発明の建築物の床構造の一実施の形態の説明用の図である。
【００１０】
この実施の形態の建築物の床構造は、ステンレススチール製の管等で形成して、内側に水通路を設けた大引１を、支柱１３で支持して構築してある。
そして、大引１の上に、大引１と同様の材料で形成し、内側に水通路を設けた根太２を、大引１に略直角に交差させると共に所定間隔を開けて複数本載置している。この所定間隔は、後述する床パネル５の横方向の幅に対応させて設定されている。また、根太２の上部両側には段部２ｂが形成されており、両側の段部２ｂ、２ｂ間は開口している。
【００１１】
前記大引１と根太２の交差する箇所には、大引１の上部に連通孔１ａを設けるとともに、根太２の下部に連通孔２ａを設け、両者の水通路を連通させている。なお、根太２の連通孔２ａには、下方に垂下したフランジ部が形成されており、大引１と根太２の位置決め、及び、連通部分における外部への漏水防止がなされている。
【００１２】
隣接する根太２、２間に跨るように、矩形状の床パネル５が載置され、複数の床パネル５が平面マトリクス状に配置されて全体床を構成している。
この床パネル５は、凹状に屈曲された補強部を３箇所有する芯材１０上に、床面材となる蓋部１５を固定することにより構成されている。そして、床パネル５の横方向の両端部には、前記根太２の段部２ｂに対応する形状の鍔部５ｂが形成されており、段部２ｂと鍔部５ｂが合致して、床パネル５の横方向の位置決めがなされる。横方向に隣接する床パネル５間には、間隙部７が形成され、この間隙部７の下方に根太２の上部開口が位置し、床上空間と根太２の水通路が連通することとなる。
【００１３】
一方、床パネル５の縦方向の両端部においては、下方を内側寄りに傾斜させた端部５ａが形成されている。そして、縦方向に隣接する２枚の床パネル５間には、間隙部７よりは小径のスリットとしての隣接部９が形成されている。この隣接部９の下方に、隣接部９から滴下する洗浄水等を受ける補助樋３が設けられている。
【００１４】
前記補助樋３は、断面凹状で長さが床パネル５の横幅と略同一の部材であり、ステンレススチール又は合成樹脂材により成形され、その両端部には拡開した顎部３ａが形成されている。そして、この顎部３ａが根太２の段部２ｂ上に係止し、横方向に隣接する根太２間を跨いだ状態に位置する。そして、隣接する床パネル５のそれぞれの端部５ａは、図６に示すように補助樋３内に係止されることとなる。この端部５ａの補助樋３内への係止は、床パネル５の縦方向に若干の位置ずれが発生したとしても、問題なく施されるものである。
【００１５】
そして、床パネル５上にて散水された洗浄水等は、間隙部７からは根太２に直接流下する。また、床パネル５上から隣接部９に至った洗浄水等は、一端補助樋３が受け、補助樋３の両端から根太２に流下する。そして、根太２に流れ込んだ水は、連通孔２ａ及び連通孔１ａを介して大引１に流入し、排水管１２から外部に排出される。
【００１６】
また、大引１内の湿った空気は、大引１に連通した排水管１１から外部に排出される。
【００１７】
【発明の効果】
本発明は、縦方向に隣接する床パネル５間の隣接部９の下方に、補助樋３を配置し、隣接部９から下方に水が滴下した場合にも、補助樋３で確実に水を受けて、根太２側へ排水するので、漏水を確実に防止できるものである。
【００１８】
そして、従来のように、精密な漏水防止用パッキンを隣接部９に施す必要がないので、漏水防止装置の施工性が向上した。
また、従来のパッキン式防止装置の施工であると、施工後に、床パネル５の損傷や、根太２や大引１の如き床構造下部の修理や整備のために、床パネル５の単体を取り外そうとすると、床パネル５の上部が濡れていた場合には、パッキンが外れるので、隣接部９から水が流れ落ちてしまうが、本発明の場合、補助樋３が設けられているので、そのような心配がないものである。
【００１９】
また、床パネル５の縦方向に隣接する両方の端部５ａは、下方に向けて内側寄りに傾斜しているので、この傾斜により、床パネル５の縦方向に隣接する両方の端部５ａは、補助樋３との係合や位置決めがし易くなった。そして、隣接部９の隙間が小さくなるとともに、補助樋３内では拡がるので、一旦滴下した水は補助樋３内では流れ易くなるものである。
【図面の簡単な説明】
【図１】本発明の一実施の形態の説明用の斜視図
【図２】本発明の一実施の形態の説明用の分解斜視図
【図３】本発明の一実施の形態の説明用の平面図
【図４】本発明の一実施の形態の説明用の図で、図３のＣ−Ｃ’線の断面図
【図５】本発明の一実施の形態の説明用の図で、図３の左側面図
【図６】本発明の一実施の形態の説明用の図で、図３のＡ−Ａ’線の断面図
【図７】本発明の一実施の形態の説明用の図で、図３のＢ−Ｂ’線の断面図
【符号の説明】
１    大引
１ａ  連通孔
２    根太
２ａ  連通孔
２ｂ  段部
３    補助樋
３ａ  顎部
５    床パネル
５ａ  端部
５ｂ  鍔部
７    間隙部
９    隣接部
１０    芯材
１１    排気管
１２    排水管
１３    支柱
【図１】
0004435436.tif 000002
【図２】
0004435436.tif 000003
【図３】
0004435436.tif 000004
【図４】
0004435436.tif 000005
【図５】
0004435436.tif 000006
【図６】
0004435436.tif 000007
【図７】
0004435436.tif 000008